(57)【特許請求の範囲】
【請求項１】
対向配置した糊ロールとドクタロールとの間の間隙をロール間隙調整機構で調整することによって、糊槽内の糊に浸漬後の糊ロール表周面上の糊量を調整し、この調整された糊量を、ライナ紙とで片面段ボールシートを構成する波形に段成形された中しん紙の段頂部に転移するようにしたコルゲータにおける糊の転移量調整方法において、糊ロール表周面における中しん紙の段頂部へ糊を転移しない位置と転移した位置とでのそれぞれの糊の採取量の差の量と、中しん紙の段頂部へ転移させる糊の適正量とを比較し、この比較の結果、差の量と適正量とが一致する場合には上記間隙をその状態に維持し、差の量が適正量より小さい場合には上記間隙をより大きくし、または、差の量が適正量より大きい場合には上記間隙をより小さくして、中しん紙の段頂部への糊の転移量を適正量にするようにしたコルゲータにおける糊の転移量調整方法。
【請求項２】
対向配置した糊ロールとドクタロールとの間の間隙をロール間隙調整機構で調整することによって、糊槽内の糊に浸漬後の糊ロール表周面上の糊量を調整し、この調整された糊量を、ライナ紙とで片面段ボールシートを構成する波形に段成形された中しん紙の段頂部に転移するようにしたコルゲータにおける糊の転移量調整装置において、糊ロール表周面における中しん紙の段頂部へ糊を転移しない位置と転移した位置とでのそれぞれの糊を採取する第１および第２採取手段と、第１および第２採取手段での第１および第２採取量を測定する採取量測定部と、糊の転移量として第１採取量と第２採取量との差の量を求め、この差の量と予め設定されている糊ロールから中しん紙の段頂部へ転移させる糊の適正量とを比較し、この比較の結果、差の量と適正量とが一致する場合には上記間隙をその状態に維持し、差の量が適正量より小さい場合には上記間隙をより大きくし、または、差の量が適正量より大きい場合には上記間隙をより小さくするような制御信号を出力する制御部とを備え、この制御信号で上記ロール間隙調整機構を制御することによって、中しん紙の段頂部への糊の転移量を適正量にするようにしたコルゲータにおける糊の転移量調整装置。
【請求項３】
第１および第２採取量としてのそれぞれの流量と、第１および第２採取手段の採取口のロール幅方向の寸法と、ライナ紙または糊ロールの周速度とによる所定演算によって上記糊の転移量を片面段ボールシートの単位面積当たりで求め、上記適正量を片面段ボールシートの単位面積当たりでの設定量とした請求項２に記載のコルゲータにおける糊の転移量調整装置。
【発明の詳細な説明】
【０００１】
【発明の属する技術分野】
この発明は、糊ロールから波形に段成形された中しん紙の段頂部へ転移される糊の転移量を調整するコルゲータにおける糊転移量調整方法及び装置に関する。
【０００２】
【従来の技術】
コルゲータのシングルフェーサにおいて片面段ボールシートは次のようにして形成される。すなわち、図４に示すように、中しん紙ａは１対の段ロール１、２間に送り込まれて波形に成形され、その後、段ロール２の表周面上に密着した状態で移動し、この移動中に中しん紙ａの段頂部へ糊付装置３の糊ロール６を接触させることによってその表周面上の糊を転移付着させている。段頂部へ糊を付着された中しん紙ａはさらに移動し、この移動中に加圧ベルト４によって送られて来るライナ紙ｂと圧着されて片面段ボールシートＳが形成される。符号５ａ、５ｂ、５ｃは加圧ベルト４が掛け回されるローラを示す。
【０００３】
糊槽８内の糊液にその一部が浸漬する糊ロール６の表周面に均一かつ適切量の糊膜を形成するように、これに対向させてドクタロール７が設けられ、糊ロール６に転移した余分な糊をかき落とすようにしている。糊ロール６の表周面上に転移される糊量は、ドクタロール７との間隙量によって決まり、中しん紙、ライナ紙の紙厚さや紙質などの種々の条件に適合するように上記間隙量を適宜調整して最適状態に設定される。
【０００４】
このような糊ロール６によって転移される糊量が紙厚さや紙質の種類に応じて最適厚さとなるように糊ロール６とドクタロール７との間隙を調整するようにした糊付装置を備えたシングルフェーサが特開平７−２６６４７１号公報に開示されている。この公報に開示されているシングルフェーサにおいては、使用される紙の厚さおよび質に基づいて経験的に決定されるそれぞれの係数等を用いた経験的な計算式によって求めた値になるよう、糊ロールとドクタロールとの間隙を調整することによって、糊ロール表周面上の糊量を決めて、この糊を中しん紙の段頂部へ転移するようにしている。
【０００５】
【発明が解決しようとする課題】
ところが、上記従来のシングルフェーサにおいては、経験的な計算式で求めた間隙値に基づいて、糊ロールから中しん紙の段頂部への糊の転移量を調整するようにしているのみであるので、段頂部へ実際に転移される糊量が、経験的に予測した最適な量になっているか否かは明らかではない。
【０００６】
すなわち、計算式によって間隙値を決めたとしても、糊の温度、水分量または粘度等、および紙の走行速度または糊ロールとドクタロールの回転速度によって、中しん紙の段頂部への糊の転移量は一定するものではなく、必ずしも適切な量になっているとは限らない。従って、接着不良による不良品の発生や糊の使用量の過多による無駄を招くおそれがある。
【０００７】
この発明は、上記の問題を解決するために、糊ロールから中しん紙の段頂部へ転移された実際の糊量を求め、この糊量が適切になるよう糊ロールとドクタロールとの間隙を調整して、糊の無駄な使用を防止した上で接着不良のない品質のよい段ボール製品を得るようにしたコルゲータにおける糊の転移量調整方法及び装置を提供することを課題とする。
【０００８】
【課題を解決するための手段】
この発明は、上記の課題を解決する手段として、対向配置した糊ロールとドクタロールとの間の間隙をロール間隙調整機構で調整することによって、糊槽内の糊に浸漬後の糊ロール表周面上の糊量を調整し、この調整された糊量を、ライナ紙とで片面段ボールシートを構成する波形に段成形された中しん紙の段頂部に転移するようにしたコルゲータにおける糊の転移量調整方法において、糊ロール表周面における中しん紙の段頂部へ糊を転移しない位置と転移した位置とでのそれぞれの糊の採取量の差の量と、中しん紙の段頂部へ転移させる糊の適正量とを比較し、この比較の結果、差の量と適正量とが一致する場合には上記間隙をその状態に維持し、差の量が適正量より小さい場合には上記間隙をより大きくし、または、差の量が適正量より大きい場合には上記間隙をより小さくして、中しん紙の段頂部への糊の転移量を適正量にするようにしたコルゲータにおける糊の転移量調整方法としたのである。
【０００９】
又、上記糊の転移量調整方法を実施する装置として、対向配置した糊ロールとドクタロールとの間の間隙をロール間隙調整機構で調整することによって、糊槽内の糊に浸漬後の糊ロール表周面上の糊量を調整し、この調整された糊量を、ライナ紙とで片面段ボールシートを構成する波形に段成形された中しん紙の段頂部に転移するようにしたコルゲータにおける糊の転移量調整装置において、糊ロール表周面における中しん紙の段頂部へ糊を転移しない位置と転移した位置とでのそれぞれの糊を採取する第１および第２採取手段と、第１および第２採取手段での第１および第２採取量を測定する採取量測定部と、糊の転移量として第１採取量と第２採取量との差の量を求め、この差の量と予め設定されている糊ロールから中しん紙の段頂部へ転移させる糊の適正量とを比較し、この比較の結果、差の量と適正量とが一致する場合には上記間隙をその状態に維持し、差の量が適正量より小さい場合には上記間隙をより大きくし、または、差の量が適正量より大きい場合には上記間隙をより小さくするような制御信号を出力する制御部とを備え、この制御信号で上記ロール間隙調整機構を制御することによって、中しん紙の段頂部への糊の転移量を適正量にするようにしたコルゲータにおける糊の転移量調整装置を採用することができる。
【００１０】
【実施の形態】
以下、この発明の実施の形態について図面を参照して説明する。図１は糊の転移量調整装置を備えたシングルフェーサの主要断面図を示す。シングルフェーサ自体は従来型のものであり、１対の段ロール１、２の間へ送られた中しん紙ａを段繰りして波形に成形し、その段頂部に糊付装置３の糊ロール６により所要量の糊が転移（付着）されると、下流側に配置された加圧ベルト４により送り込まれるライナ紙ｂが加圧接着されて片面段ボールシートＳが形成される。
【００１１】
加圧ベルト４は複数のローラ５ａ、５ｂ、５ｃ間にエンドレスベルトが掛け回されたものから成り、段ロール２の表周面にその一部分が圧接されるように設けられる。段ロール２の表周面には糊付装置３の糊ロール６が中しん紙ａの厚さ分の間隙を保って設けられている。糊付装置３も、従来の一般的な形式のものであり、糊ロール６の表周面の糊膜の厚さを調整するドクタロール７を備えている。
【００１２】
また、糊ロール６の表周面上に糊を付着させるための糊槽８が設けてあり、さらに、この糊槽８内の糊Ｇを糊ロール６の幅方向の所定範囲に溜めるための一対のダム９、９が、その幅方向に移動自在に設けてある。従って、回転中に糊槽８内の糊Ｇにその一部が浸漬する糊ロール６の表周面上には、一対のダム９、９で規定された範囲内でのみしか糊Ｇが付着しない。
【００１３】
図１に示すように、糊ロール６の表周面上の糊を吸引しながら掻き取るように採取するための採取手段８ａ、８ｂが、この表周面へ接触するように対向させて設けられている。この採取手段８ａ、８ｂは、糊ロール６の表周面に沿って接するような一定の幅を持ち、先端の広がった採取口を有するラッパ状の同一の吸引ノズルから成る。
【００１４】
採取手段８ａの糊ロール６の幅方向における取付け位置は、図２および図３に示すように、中しん紙ａの一方の端より外側の位置であり、また、採取手段８ｂのそれは、中しん紙ａの両端部間の位置である。
【００１５】
採取手段８ａの糊ロール６の外周方向における取付け位置は、図１に示すように、糊ロール６の回転方向に沿って、糊ロール６のドクタロール７との対向部の位置Ｐ１  から糊ロール６が糊槽８内の糊Ｇに浸漬する位置Ｐ３  までであり、また、採取手段８ｂのそれは、糊ロール６の回転方向に沿って、糊ロール６の段ロール２との対向部の位置Ｐ２  から糊ロール６が糊槽８内の糊Ｇに浸漬する位置Ｐ３  までである。
【００１６】
上記一対のダム９、９は、それぞれに対応するねじ軸（図示省略）に螺合しており、このねじ軸のそれぞれをモータで適宜回転させることによって、図２および図３に示すように、採取手段８ａ側の一方のダム９はこの採取手段８ａより外側に位置決めされ、また、他方のダム９は中しん紙ａの一端部に対応して位置決めされる。
【００１７】
なお、逆ねじを設けた一つのねじ軸のそれぞれに一対のダム９、９を螺合させておき、このねじ軸をモータで回転させることによって、この一対のダム９、９を左右対称に移動させて位置決めするようにしてもよい。
【００１８】
採取手段８ａは一方のダム９へ一体的に取付けることによって、中しん紙ａの幅寸法またはその紙端位置に対応させてダム９と一緒に移動させて、その位置を調整するようにしてもよい。また、採取手段８ｂは必ずしもその位置を移動、調整する必要はなく、固定して取付けてもよい。
【００１９】
糊ロール６は中しん紙ａの段頂部の全幅にわたって糊を転移できればよいので、一対のダム９、９は設けなくてもよく、この場合、採取手段８ａの幅方向の位置調整は適宜手段で行えばよい。
【００２０】
上記の構成によれば、ドクタロール７によってロール幅方向において糊量を適切かつ均一に調整された糊ロール６の表周面上の糊は、採取手段８ａで採取され、また、中しん紙ａの段頂部へ転移された後に糊ロール６の表周面上にわずかに残る糊は、採取手段８ｂで採取されることになる。
【００２１】
上記シングルフェーサにおいて採取手段８ａ、８ｂを用いて糊の転移量を測定し調整する装置の概略構成を図３に示す。図示のように、採取手段８ａ、８ｂには重量測定型の流量計１０ａ、１０ｂを用いた採取量測定部１０、吸引ポンプ１１ａ、１１ｂが接続され、吸引して回収された糊Ｇは糊の戻りタンク１２へ送られる。なお、採取手段８ａ、８ｂによる糊吸引作用は、採取口の幅より余分の幅方向の糊を必要以上に吸引しない程度のものとする。
【００２２】
流量計１０ａ、１０ｂは吸引ポンプ１１ａ、１１ｂの吸引力で吸引される糊の流量を計測し、これらの流量値（ｇ／分）をそれぞれ電気信号Ａ、Ｂに変換して制御部２０へ送る。制御部２０へは外部の生産管理装置（図示省略）から採取手段８ａ、８ｂの採取口のロール幅方向寸法ｄ（ｍ）や片面段ボールシートＳの単位面積当りでの糊転移量の適正量Ｗ（ｇ／ｍ２  ）のデータが、そして速度検出器（図示省略）からシングルフェーサ部での紙の速度又は糊ロール６の周速度などの走行速度Ｖ（ｍ／分）に対応する信号が送り込まれる。
【００２３】
制御部２０は、これらの信号に基づいて糊ロール６とドクタロール７との間隙を調整するための信号をロール間隙調整機構Ｃのモータ１３へ送る。このモータ１３によって偏心軸受１４は回転させられ、この偏心位置に取付けられている軸を持つドクタロール７は、位置の固定されている糊ロール６に対して適宜接近、離反されることによって、糊ロール６の表周面上に適切な糊量が付着されるよう、糊ロール６との間隙量を調整される。そして、この間隙量は、ドクタロール７の軸の位置を検出器１５で検出することによって得られ、その対応する信号は制御部２０へ送られる。
【００２４】
上記モータ１３、偏心軸受１４、検出器１５はロール間隙調整機構Ｃを構成する。なお、流量計１０ａ、１０ｂは容積測定型であってもよいが、この場合には、糊の比重に基づいて、測定した容積を重量に換算する必要がある。
【００２５】
上記の構成としたシングルフェーサで段繰りされた中しん紙ａの段頂に転移される糊の転移量を上記糊の転移量調整装置により次のようにして調整する。ドクタロール７で調整された糊量を表周面上に付着されている糊ロール６は、その回転中に、中しん紙ａの端部より外側の位置であってその段頂部へ転移しない位置での糊を採取手段８ａによって採取され、中しん紙ａの端部より内側の位置であってその段頂部へ転移した位置での糊を採取手段８ｂによって採取されるので、これらの採取量の差が中しん紙ａの段頂部へ実際に転移した糊の量となる。
【００２６】
この転移した糊の量が予め設定してある適正量になるように、ロール間隙調整機構Ｃで糊ロール６とドクタロール７との間隙を調整すればよい。なお、上記適正量は、通常便宜的に片面段ボールシートＳの１ｍ２  当りへ転移した糊のｇ数（ｇ／ｍ２  ）で設定、管理される。
【００２７】
採取手段８ａ、８ｂにより採取された糊の量は、採取量測定部１０の流量計１０ａ、１０ｂで測定され、信号Ａ、Ｂとして制御部２０へ送られる。この制御部２０では、上記信号Ａ、Ｂからそれぞれの流量を検出し、その検出値に基づいて演算部により次のような所定の演算が行われる。
【００２８】
（流量Ａ（ｇ／分）−流量Ｂ（ｇ／分））／（採取口幅ｄ（ｍ）×走行速度Ｖ（ｍ／分））＝単位面積当り転移量ｗ（ｇ／ｍ２  ）
即ち、まず流量Ａ（ｇ／分）と流量Ｂ（ｇ／分）の減算を行って糊の転移量を算出する。そして、上記糊の転移量を採取手段８ａ、８ｂの採取口幅ｄ（ｍ）と走行速度Ｖ（ｍ／分）で割算して片面段ボールシートＳの単位面積当りの転移量ｗ（ｇ／ｍ２  ）を得る。
【００２９】
上記演算により単位面積当りの転移量ｗ（ｇ／ｍ２  ）が得られると、制御部２０の比較判定部では片面段ボールシートＳの単位面積当りの適正量Ｗ（ｇ／ｍ２  ）との比較が行われる。この比較判定において、
Ｗ＝ｗ  であれば間隙が適切であるとの判定Ｄ１  
Ｗ＞ｗ  であれば間隙をより大きくする必要があるとの判定Ｄ２  
Ｗ＜ｗ  であれば間隙をより小さくする必要があるとの判定Ｄ３  
のいずれかの判定がされると、この判定に基づいて制御部２０から制御信号がロール間隙調整機構Ｃのモータ１３へ出力されて、次のような制御が行われる。
【００３０】
上記判定Ｄ１  がなされると、中しん紙ａの段頂部へ転移された糊の転移量は適正であるため、糊ロール６とドクタロール７との間隙量を変更する必要はないので、制御部２０からモータ１３に対して間隙を変更するための信号は出されない。
【００３１】
上記判定Ｄ２  がなされると、中しん紙ａの段頂部へ転移された糊の転移量は適正量より少ないため、ドクタロール７を糊ロール６から離してその間隙をより大きくし、糊ロール６の表周面への糊の付着量を多くするようにロール間隙調整機構Ｃが作動するような信号が制御部２０からモータ１３へ与えられる。
【００３２】
上記判定Ｄ３  がなされると、中しん紙ａの段頂部へ転移された糊の転移量は適正量より多いため、ドクタロール７を糊ロール６へ近付けてその間隙をより小さくし、糊ロール６の表周面への糊の付着量を少なくするようにロール間隙調整機構Ｃが作動するような信号が制御部２０からモータ１３へ与えられる。
【００３３】
なお、上記判定において適正量Ｗ（ｇ／ｍ２  ）と測定された転移量ｗ（ｇ／ｍ２  ）とが厳格に一致しない場合でも、適正量Ｗに対し所定の許容範囲を定めておき、その許容範囲内であれば一致するものとして取扱うようにしてもよい。
【００３４】
又、上記制御における適正量Ｗ（ｇ／ｍ２  ）は予め生産管理装置から送られて制御部２０の記憶部に設定されている値であり、中しん紙の紙質、紙厚、貼合わされるライナ紙の紙質、紙厚などの種々の条件を前提として、それぞれの組合わせ毎に最適な貼合わせとなる量として予め決められている。なお、採取手段８ａ、８ｂのそれぞれに相当する採取手段をロール幅方向に複数取付けることによって、それぞれの採取量を平均化して求めるようにしてもよい。
【００３５】
コルゲータにおいては、片面段ボールシートへ別なライナ紙を貼合わせて段ボールシートとするために、片面段ボールシートの中しん紙の段頂部へ糊を転移、付着させる別な糊付装置がシングルフェーサの下流側にある。この糊付装置はシングルフェーサでの上記糊付装置と同様に糊ロール、ドクタロール、糊槽を備えており、本発明の糊の転移量調整装置を適用できる。
【００３６】
【発明の効果】
この発明のコルゲータにおける糊の転移量調整方法及び装置においては、糊ロール表周面における中しん紙の段頂部へ糊を転移しない位置と転移した位置とでのそれぞれの糊の採取量の差の量すなわち段頂部へ実際に転移した糊量が、中しん紙の段頂部へ転移させる糊の適正量に一致するように、糊ロールとドクタロールとの間の間隙を調整するので、糊の転移量を正確に調整することができ、糊転移量の不足に基づく中しん紙とライナ紙の接着不良による不良品の発生や、糊転移量の過多に基づく無駄を防止することができる。また、糊の採取量の上記差の量と上記適正量とを片面段ボールシートの単位面積当りでの量としたので、糊量の管理が簡便、容易である。
【図面の簡単な説明】
【図１】糊転移量調整装置を備えたシングルフェーサの主要断面図
【図２】同上の部分平面図
【図３】実施形態の糊転移量調整装置の全体概略ブロック図
【図４】従来例のシングルフェーサの主要断面図
【符号の説明】
１、２  段ロール
３  糊付装置
６  糊ロール
７  ドクタロール
８ａ、８ｂ  採取手段
１０  採取量測定部
２０  制御部
Ｃ  ロール間隙調整機構
【図１】
0003556869.tif 000002
【図２】
0003556869.tif 000003
【図３】
0003556869.tif 000004
【図４】
0003556869.tif 000005